(57)【特許請求の範囲】
【請求項１】
容器を底部側から受け入れる収容部と、縦向きへの押し込みに弾発する状態で当該収容部の内方に向けて横向きに突き出された保持片とを備えており、
この保持片が、前記収容部への当該収容部の内壁と保持片の突き出し端縁との間に納まらない太さの容器の受け入れに伴って当該容器の底部に上面側を押圧されて前記弾発に抗して縦向きに押し込まれ、当該保持片の上面側を容器の側部に押し当てさせる構成としてあると共に、
当該保持片の上面に、当該保持片の突き出し方向にある両側部に隆起部を形成させるように当該保持片の中央部で当該保持片の下面側に向けて低まり当該突き出し方向に沿った両側部に向かうに連れて盛り上がった当該保持片の突き出し端縁から根本側に亘る円弧面が形成してあることを特徴とするカップホルダー。
【請求項２】
保持片の突き出し端縁が、当該保持片の中央部で当該保持片の根本側に向けて窪み当該突き出し端縁の両側部に向かうに連れて張り出す円弧縁としてあることを特徴とする請求項１記載のカップホルダー。
【発明の詳細な説明】
【０００１】
【発明の属する技術分野】
この発明は、自動車などの室内などに設置されて、これらの室内などで利用に供される飲料カップ、ジュース缶、ＰＥＴボトルなどの容器を、これらの室内などにおいて起立状態に保持する用途で用いられるカップホルダーの改良に関する。
【０００２】
【従来の技術】
容器Ｙを底部Ｙａ側から受け入れる収容部１００を有すると共に、この収容部１００の内方に向けて横向きに突き出した容器Ｙの保持片１０１と備えたカップホルダーが用いられている。（図２４〜図２７）かかる保持片１０１は、一端側で回動可能に組み付けられていると共に、ねじりコイルばね１０２によって前記横向きの突き出し状態を維持され、かつ、前記収容部１００に受け入れられる容器Ｙの太さによって当該受け入れられる容器Ｙの底部Ｙａに上面１０１ａ側を押圧されて前記ねじりコイルばね１０２の弾発に抗して縦向きに押し込まれ、当該保持片１０１の上面１０１ａ側を容器Ｙの側部Ｙｂに押し当てさせる構成としてある。
【０００３】
【課題を解決するための手段】
かかる従来のカップホルダーによれば、前記保持片１０１の突き出し端縁１０１ｃと前記収容部１００の内壁１００ａとの間に納まる太さの円筒状の容器Ｙ（例えば、２５０ｍｌの容量の円筒缶）については、当該保持片１０１の突き出し端縁１０１ｃと内壁１００ａとによって当該容器Ｙの側部Ｙｂを支持して当該容器Ｙを当該収容部１００に起立状態で保持することが可能とされる。（図２４）
【０００４】
また、前記保持片１０１をもっとも縦向きに押し込んだ状態で前記収容部１００に納められる太さの、カップホルダーが保持を予定するもっとも太い円筒状の容器Ｙ（例えば、５００ｍｌの容量の円筒状のペットボトル）については、かかる保持片１０１の上面１０１ａと収容部１００の内壁１００ａとによって当該容器Ｙの側部Ｙｂを支持して当該容器Ｙを当該収容部１００に起立状態で保持することが可能とされる。（図２５）
【０００５】
しかるに、かかるカップホルダーにあっては前記保持片１０１が単純な板状に構成されているため、前記もっとも太い円筒状の容器Ｙに対してはかかる保持片１０１はその保持片１０１の中央部を当該容器Ｙの側部Ｙｂに上下に線的に接触させるに留まるものであった。（図２５）
【０００６】
また、かかるもっとも太い円筒状の容器Ｙの直径と隅部を結ぶ対角線の長さをほぼ等しくする角筒状の容器Ｙ（例えば、５００ｍｌの容量の角筒状のペットボトル）に対しては、前記保持片１０１の突き出し端縁１０１ｃのみを当該容器Ｙの側部Ｙｂに接触させるに留まるものであった。（図２６）
【０００７】
また、前記もっとも太い円筒状の容器Ｙよりもやや細い円筒状の容器Ｙ（例えば、３５０ｍｌの容量の円筒缶）に対しても、前記保持片１０１の突き出し端縁１０１ｃのみを当該容器Ｙの側部Ｙｂに接触させるに留まるものであった。（図２７）
【０００８】
このため、かかる従来のカップホルダーにあっては、太さと形状を異ならせる複数種類の容器Ｙに対し前記保持片１０１を十分に接触させ難く、これら複数種類の容器Ｙのいずれもを適切に保持させるための一層の改良が望まれていた。
【０００９】
そこでこの発明は、この種のカップホルダーにおいて、太さと形状を異ならせる複数種類の容器の側部に対し、それぞれ十分に前記保持片を押しつけ状態で接触させるようにして、これら複数種類の容器をいずれもより適切に起立状態で保持できるようにすることを主たる目的とする。
【００１０】
【課題を解決するための手段】
前記目的を達成するために、請求項１記載の発明にあっては、カップホルダーが次の（１）〜（３）の構成を備えたものとした。
（１）容器を底部側から受け入れる収容部と、縦向きへの押し込みに弾発する状態で当該収容部の内方に向けて横向きに突き出された保持片とを備えており、（２）この保持片が、前記収容部への当該収容部の内壁と保持片の突き出し端縁との間に納まらない太さの容器の受け入れに伴って当該容器の底部に上面側を押圧されて前記弾発に抗して縦向きに押し込まれ、当該保持片の上面側を容器の側部に押し当てさせる構成としてあると共に、
（３）当該保持片の上面に、当該保持片の突き出し方向にある両側部に隆起部を形成させるように当該保持片の中央部で当該保持片の下面側に向けて低まり当該突き出し方向に沿った両側部に向かうに連れて盛り上がった当該保持片の突き出し端縁から根本側に亘る円弧面が形成してある。
【００１１】
かかる構成によれば、前記収容部の内壁と前記弾発により横向きに突き出された保持片の突き出し端縁とに納まる太さの容器を、かかる内壁と当該保持片の突き出し端縁とによって当該容器の側部を支持して前記収容部内で起立状態に保持することができる。
【００１２】
また、前記収容部の内壁と前記弾発により横向きに突き出された保持片の突き出し端縁とに納まらない太さの容器に対しては、前記弾発に抗して当該保持片を容器の底部によって縦向きに押し込まれて当該容器の側部に押し付けられる当該保持片の上面側と前記内壁とによって当該容器の側部を挟み付けるように支持して、かかる容器を同様に前記収容部内で起立状態に保持することができる。
【００１３】
特に、納められる容器が横向きの断面外郭形状を円形とするものであって、その容器の直径を、前記保持片を縦向きに最大に押し込ませた状態で前記収容部に納められる大きさとするものである場合には、この容器の弧状をなす側部に保持片の円弧面を上下方向において沿わせた状態で当該容器に保持片を押し付けることができ、収容部の内壁と当該保持片の円弧面とで安定的に当該容器を保持することができる。
【００１４】
また、納められる容器が横向きの断面外郭形状をほぼ四角形状とするものであって、その四角形の対角線の長さを前記保持片を縦向きに最大に押し込ませた状態で前記収容部に納められる横向きの断面外郭形状を円形とする容器の直径とほぼ等しくするものである場合には、この容器の一面に保持片の隆起部を上下方向に密着させた状態で当該容器に保持片を押し付けることができ、収容部の内壁と当該保持片の隆起部の頂部の縁ないし面とで安定的に当該容器を保持することができる。
【００１５】
また、納められる容器が横向きの断面外郭形状を円形とするものであって、その容器の直径を、前記保持片を縦向きに最大に押し込ませた状態で前記収容部に納められる横向きの断面外郭形状を円形とする容器よりもやや小さくするものである場合には、保持片はその突き出し端縁側に向かうに連れて本体の幅広の側面から次第に離れる向きに傾斜状に押し込まれた状態となるが、この場合にも当該容器の弧状をなす側部に保持片の円弧面を当該保持片の突き出し端縁から根本側に亙る上下方向の比較的広い範囲で沿わせた状態で当該容器に保持片を押し付けることができ、収容部の内壁と当該保持片のかかる円弧面とで安定的に当該容器を保持することができる。
【００１６】
また、請求項２記載の発明にあっては、請求項１記載の保持片の突き出し端縁が、当該保持片の中央部で当該保持片の根本側に向けて窪み当該突き出し端縁の両側部に向かうに連れて張り出す円弧縁としてあるものとした。
【００１７】
かかる構成によれば、前記収容部の内壁と前記弾発により横向きに突き出された保持片の突き出し端縁とに納まる太さの容器であって、横向きの断面外郭形状を円形とするものに対しては、当該弧状縁を当該容器の弧状をなす側部に左右方向に沿わせた状態で当該容器を収容部の内壁との間で安定的に保持することができる。
【００１８】
【発明の実施の形態】
以下、図１ないし図２３に基づいて、この発明の典型的な実施の形態について説明する。
【００１９】
なお、ここで図１および図２は、開き出し位置ＯＰに蓋体４を位置づけたカップホルダーを斜視の状態として示している。（なお、両図においては、蓋体４を開き出し状態ＯＰに位置付けるねじりコイルばね５を省略して表している。）また、図３ないし図９は、開き出し位置ＯＰに蓋体４を位置づけたカップホルダーをそれぞれ示しており、また、図１０ないし図１４は、閉じ込み位置ＣＬに蓋体４を位置づけたカップホルダーをそれぞれ示している。
【００２０】
また、図１５ないし図１９は、かかるカップホルダーを構成する保持片２をそれぞれ示している。
【００２１】
また、図２０は、後述の最小円形容器Ｙ４を保持した状態をカップホルダーの一方の収容部１側を表した状態で上方から視て表すと共に（同図（イ））、断面にして表している（同図（ロ））。
【００２２】
また、図２１は、後述の最大円形容器Ｙ１を保持した状態をカップホルダーの一方の収容部１側を表した状態で上方から視て表すと共に（同図（イ））、断面にして表している（同図（ロ））。
【００２３】
また、図２２は、後述の角形容器Ｙ２を保持した状態をカップホルダーの一方の収容部１側を表した状態で上方から視て表すと共に（同図（イ））、断面にして表している（同図（ロ））。
【００２４】
また、図２３は、後述の中間円形容器Ｙ３を保持した状態をカップホルダーの一方の収容部１側を表した状態で上方から視て表すと共に（同図（イ））、断面にして表している（同図（ロ））。
【００２５】
この実施の形態にかかるカップホルダーは、典型的には、自動車、航空機、鉄道車両などの室内などに設置されて、これらの室内などで利用に供される紙コップなどの飲料カップ、ジュース缶などの飲料缶、ＰＥＴボトルなどの飲料ボトルなどの容器Ｙを、これらの室内などにおいて内容物をこぼれ出させないように起立状態に保持する用途で用いられるものである。
【００２６】
すなわち、この実施の形態にかかるカップホルダーは、容器Ｙを底部Ｙａ側（すなわち、容器Ｙの注ぎ口がある容器Ｙの上部側と反対の側）から受け入れる収容部１と、縦向きへの押し込みにより弾発する状態で当該収容部１の内方に向けて横向きに突き出された保持片２とを備えている。
【００２７】
また、前記保持片２が、前記収容部１への当該収容部１の内壁１０と保持片２の突き出し端縁２０との間に納まらない太さの容器Ｙの受け入れに伴って当該容器Ｙの底部Ｙａに前記弾発によって横向きに位置されている上面２１側を押圧されてこの弾発に抗して当該上面２１側を縦向きに位置させるように収容部１の下方に押し込まれ、このように縦向きに位置された当該保持片２の上面２１側を容器Ｙの側部Ｙｂに押し当てさせる構成としてある。
【００２８】
この結果、この実施の形態にかかるカップホルダーによれば、先ず、前記収容部１の内壁１０と前記弾発により横向きに突き出された保持片２の突き出し端縁２０とに納まる太さの容器Ｙを、かかる内壁１０と当該保持片２の突き出し端縁２０とによって当該容器Ｙの側部Ｙｂを支持して前記収容部１内で起立状態に保持することができる。（図２０）
【００２９】
また、前記収容部１の内壁１０と前記弾発により横向きに突き出された保持片２の突き出し端縁２０とに納まらない太さの容器Ｙに対しては、前記弾発に抗して当該保持片２を容器Ｙの底部Ｙａによって縦向きに押し込まれて当該容器Ｙの側部Ｙｂに押し付けられる当該保持片２の上面２１側と前記内壁１０とによって当該容器Ｙの側部Ｙｂを挟み付けるように支持して、かかる容器Ｙを同様に前記収容部１内で起立状態に保持することができる。（図２１〜図２３）
【００３０】
前記収容部１は、前記容器Ｙを底部Ｙａ側から受け入れる上部を開口１１させ、かつ、受け入れられた容器Ｙの側部Ｙｂに向き合う内壁１０を持ったものであれば良い。例えば、この収容部１の開口１１は蓋などによって塞がれていても構わない。また、この収容部１が例えば自動車のインストルメントパネルやセンターコンソールなどのカップホルダーの設置対象本体の内部に収納されるようにしてあり、その内部から外部に引き出された状態で収容部１の開口１１から当該収容部１に容器Ｙが納められるようにしてあっても構わない。また、収容部１の底部を下方に開放し、例えば上部側に向かうに連れて外径を太くした容器Ｙの当該上部を収容部１の開口１１側に引っかけるように当該容器Ｙを支持するようにしてあっても、あるいはまた、この収容部１に納められる容器Ｙの底面Ｙｃを例えば自動車のフロア面によって支持するようにしてあっても構わない。
【００３１】
しかるに、この実施の形態にあっては、前記設置対象本体側に組み付けられる本体３と、この本体３に対して横向きの回動軸をもってほぼ９０度回動可能に組み付けられた蓋体４とによりカップホルダーの主体部分を構成している。
【００３２】
かかる本体３は、（１）長さ側と幅側を備えた底板３０、（２）かかる底板３０における長さ方向にある一方側縁に亘って設けられ、かつ、当該一方側縁から上方に起立された幅広の側板３１、および、（３）かかる底板３０における幅方向にある両側縁にそれぞれ当該側縁に亘って設けられ、当該側縁から上方に起立されると共に、前記幅広の側板３１に前記主体部分の隅部で一体に連接された幅狭の側板３２を備えている。
【００３３】
一方、前記蓋体４は、（１）前記本体３の両幅狭の側板３２間に納まる間隔を開けて形成された一対の側壁４０、４０、（２）この蓋体４の前記本体３への閉じ込み位置ＣＬで当該本体３の上方および側方を覆うように形成された外壁４１、（３）この蓋体４の前記本体３からの開き出し位置ＯＰで当該本体３の幅広の側板３１の内面に向き合う内壁４２、（４）この蓋体４の前記本体３への閉じ込み位置ＣＬで当該本体３の幅広の側板３１の内面に向き合う上壁４３、および、（５）この蓋体４の前記本体３からの開き出し位置ＯＰで当該本体３の底板３０の内面とほぼ同面をなす底壁４４を備えた中空体として構成してある。この底壁４４は、前記上壁４３と反対の側において蓋体４の長さ方向に亘って形成された張り出し部４５の内面側に形成されている。
【００３４】
また、かかる蓋体４は、前記張り出し部４５における両側にそれぞれ、当該蓋体４の側壁４０から横向きに突き出す軸突部４６を備えている。そして、この実施の形態にあっては、かかる蓋体４の軸突部４６の一方を前記本体３の一方の幅狭の側板３２に開設された軸穴３３に差しれると共に、かかる軸突部４６の他方を当該本体３の他方の幅狭の側板３２に開設された軸穴３３に差し入れて、この張り出し部４５側をもって当該本体３に当該蓋体４がほぼ９０度回動可能に組み付けられた構成としてある。より具体的には、この実施の形態にあっては、前記本体３の前記幅広の側板３１の形成側と反対の側において、前記底板３０に連なる前記蓋体４の張り出し部４５の収容凹所３４が形成してあると共に、この収容凹所３４に形成された窓穴３４ａの上縁３４ｂに図１３において符号４５ａで示される当該張り出し部４５に形成された回動規制突起が当該蓋体４を前記軸穴３３を中心として前記本体３からほぼ９０度開き出した位置で突き当たる構成としてある。（図９）
【００３５】
そして、この実施の形態にあっては、かかる蓋体４の前記本体３からの開き出し位置ＯＰにおいて、この本体３の幅広の側板３１および幅狭の側板３２と当該蓋体４の内壁４２との間に、この本体３の底板３０と当該蓋体４の底壁４４によって容器Ｙの底面Ｙｃの支持をなすように上方を開放させた前記容器Ｙの収容部１が形成される構成としてある。
【００３６】
なお、この実施の形態にあっては、前記本体３の長さ方向ほぼ中程の位置に下辺を当該本体３の底板３０に一体に連接させ、かつ縦方向にある一辺を当該本体３の幅広の側板３１に一体に連接させた仕切り板３５により、前記本体３がほぼ同じ大きさの二つの収容部１、１に区分された構成としてあり、同時に二本の容器Ｙを保持できるようにしてある。また、前記蓋体４には、その閉じ込み位置ＣＬにおいて当該仕切り板３５を納める溝状部４７が形成してある。
【００３７】
また、この実施の形態にあっては、前記蓋体４の張り出し部４５に設けられた軸突部４６の一方における、前記本体３の軸穴３３から当該本体３の幅狭の側板３２の外面側に突き出した部分が、当該蓋体４の内壁４２に沿った向きに屈曲されている。そして、この軸突部４６の先端部４６ａに一方の腕端５０を止め付けられ、かつ、他方の腕端５０に形成させたループ部５１の内側に本体３の幅狭の側板３２の外面に形成された突部３６を納め入れて、巻回部５２をフリーとした状態で備え付けられたねじりコイルばね５が当該本体３の外側に設けられている。そして、前記本体３に対する蓋体４の閉じ込み位置ＣＬと開き出し位置ＯＰとにおいて、このねじりコイルばね５の両腕端５０、５０間の間隔、すなわち、前記軸突部４６の先端部４６ａと本体３の突部３６との間の間隔が広く、この閉じ込み位置ＣＬから開き出し位置ＯＰとの間では蓋体４の回動による軸突部４６の先端部４６ａの移動により当該ねじりコイルばね５の両腕端５０、５０間の間隔が狭められる構成としてある。これによりこの実施の形態にあっては、かかる蓋体４の閉じ込み位置ＣＬにおいては前記ねじりコイルばね５の作用により当該蓋体４は開き出し方向に移動され難く、また、かかる蓋体４の開き出し位置ＯＰにおいては当該ねじりコイルばね５の作用により当該蓋体４は閉じ込み方向に移動され難く、かかる閉じ込み位置ＣＬでの蓋体４の閉じ込み状態および開き出し位置ＯＰでの蓋体４の開き出し状態をそれぞれ安定的に維持可能とされている。
【００３８】
一方、前記保持片２は、縦向きへの押し込みにより弾発する状態で前記収容部１の内方に向けて横向きに突き出されたものであれば良い。例えば、ゴムや弾性を備えたプラスチック材料よりなる板体などの一端を収容部１の内方に横向きに突き出すように当該収容部１を形成する部材に一体に止着するなどして設け、縦向きへの押し込みに弾性変形によって弾発力を持つようにして当該保持片２を構成してあっても構わない。また、板体をばねや弾性体などの付勢手段により縦向きへの押し込みにより弾発する状態で当該板体を回動可能に収容部１を形成する部材に組み付けるようにしてあっても構わない。
【００３９】
しかるに、この実施の形態にあっては、前記本体３の幅広の側板３１の上縁部に、当該本体３の長さ方向に長い板状体２’の長さ側の一辺部を、横向きの回動軸をもって回動可能に組み付けると共に、この板状体２’の下面に腕端６０の一方を押し当て、かつ、本体３側に腕端６０の他方を止着させた状態で巻回部６１を弾性変形させたねじりコイルばね６を設け、このねじりコイルばね６の弾発により前記収容部１の内方に縦向きの押し込みにより弾発する状態で当該板状体２’が横向きに突き出すようにしてかかる保持片２を構成させている。
【００４０】
具体的には、この実施の形態にあっては、前記本体３の幅広の側板３１にこの本体３の長さ方向に長い窓穴３７が形成されていると共に、前記板状体２’の一辺部にこの窓穴３７に入り込む基部２３ａとこの基部２３ａの両側からそれぞれ突き出す突出部２３ｂとからなる組み付け部２３を設け、この突出部２３ｂにおける他方の突出部２３ｂに向き合わない側から突き出す軸突起２４を前記窓穴３７の縦向きの窓内壁４２に形成させた軸穴３７ｂにそれぞれ納めて、かかる本体３に板状体２’を回動可能に組み付けている。
【００４１】
また、かかる板状体２’の組み付け部２３を構成する一対の突出部２３ｂ、２３ｂにおける他方の突出部２３ｂに向き合う側にそれぞれ、前記ねじりコイルばね６の巻回部６１の端から当該巻回部６１内に入り込む支持突起２５を設け、この支持突起２５によって前記一対の突出部２３ｂ間にかかるねじりコイルばね６を支持させている。
【００４２】
また、この実施の形態にあっては、かかる板状体２’がほぼ水平に前記収容部１の内方に向けて横向きに突き出されるように、前記ねじりコイルばね６の弾発によって前記組み付け部２３を構成する基部２３ａの上面が前記窓穴３７の上側の窓内壁３７ａに押し当てられる構成としてある。
【００４３】
また、かかる板状体２’により構成される保持片２の上面２１側には、当該保持片２の突き出し方向にある両側部に隆起部２６を形成させるように当該保持片２の中央部で当該保持片２の下面側に向けて低まり当該突き出し方向に沿った両側部に向かうに連れて盛り上がった円弧面２７が形成してある。
【００４４】
この結果、この実施の形態にあっては、この保持片２の突き出し端縁２０と前記収容部１の内壁１０（この実施の形態にあっては、この保持片２の突き出し端縁２０に向き合う開き出し位置ＯＰにある前記蓋体４の内壁４２）との間に納まらない太さの前記容器Ｙが当該収容部１に納められた場合、かかる保持片２を次のように機能させることができる。
【００４５】
（１）納められる容器Ｙが横向きの断面外郭形状を円形とするものであって、その容器Ｙの直径を、前記保持片２をほぼ垂直向きにまで縦向きに押し込ませた状態で前記収容部１に納められる大きさとするもの（以下、最大円形容器Ｙ１という。）である場合には、この最大円形容器Ｙ１の弧状をなす側部Ｙｂに保持片２の円弧面２７を上下方向において沿わせた状態で当該最大円形容器Ｙ１に保持片２を押し付けることができ、収容部１の内壁１０と当該保持片２の円弧面２７とで安定的に当該最大円形容器Ｙ１を保持することができる。（図２１）
【００４６】
（２）納められる容器Ｙが横向きの断面外郭形状をほぼ四角形状とするものであって、その四角形の対角線の長さを前記最大円形容器Ｙ１の直径とほぼ等しくするもの（以下、角形容器Ｙ２という。）である場合には、この角形容器Ｙ２の一側部Ｙｂ面に保持片２の隆起部２６を上下方向に密着させた状態で当該角形容器Ｙ２に保持片２を押し付けることができ、収容部１の内壁１０と当該保持片２の隆起部２６の頂部の縁ないし面とで安定的に当該角形容器Ｙ２を保持することができる。（図２２）
【００４７】
（３）納められる容器Ｙが横向きの断面外郭形状を円形とするものであって、その容器Ｙの直径を、前記最大円形容器Ｙ１よりもやや小さくするもの（以下、中間円形容器Ｙ３という。）である場合には、保持片２はその突き出し端縁２０側に向かうに連れて本体３の幅広の側面から次第に離れる向きに傾斜状に押し込まれた状態となるが、この場合にも中間円形容器Ｙ３の弧状をなす側部Ｙｂに保持片２の円弧面２７を当該保持片２の突き出し端縁２０から根本２８側に亙る上下方向の比較的広い範囲で沿わせた状態で当該中間円形容器Ｙ３に保持片２を押し付けることができ、収容部１の内壁１０と当該保持片２のかかる円弧面２７とで安定的に当該中間円形容器Ｙ３を保持することができる。（図２３）
【００４８】
また、この実施の形態にあっては、かかる保持片２の突き出し端縁２０が、当該保持片２の中央部で当該保持片２の根本２８側に向けて窪み当該突き出し端縁２０の両側部に向かうに連れて張り出す円弧縁２９としてある。
【００４９】
この結果、この実施の形態にあっては、前記収容部１の内壁１０と前記弾発により横向きに突き出された保持片２の突き出し端縁２０とに納まる太さの容器Ｙであって、横向きの断面外郭形状を円形とするもの（以下、最小円形容器Ｙ４という。）に対しては、当該弧状縁２９を当該最小円形容器Ｙ４の弧状をなす側部Ｙｂに左右方向に沿わせた状態で当該最小円形容器Ｙ４を収容部１の内壁１０との間で安定的に保持することができる。（図２０）
【００５０】
なお、この実施の形態にあっては、かかる保持片２は前記仕切り板３５によって区分される二つの収容部１、１のそれぞれにおいて、当該収容部１の内方に向けて突き出すように、前記本体３の幅広の側板３１の二カ所に設けられている。また、この実施の形態にあっては、前記蓋体４の内壁４２における当該蓋体４の底壁４４側が、当該蓋体４の外壁４１側を湾曲外側とするように湾曲した弧状壁４２ａとしてあると共に、この弧状壁４２ａと前記ほぼ垂直向きに押し込まれた保持片２の円弧面２７とが保持の予定される前記最大円形容器Ｙ１の外径にほぼ適合した仮想の円の円弧に沿うように構成してある。
【００５１】
また、前記蓋体４における上壁４３には、前記保持片２の納まる凹所４３ａが形成されており、前記本体３に対する蓋体４の閉じ込み位置ＣＬにおいて当該凹所４３ａに当該蓋体４の閉じ込みにより当該蓋体４の上壁４３と内壁４２との接し合う縁部４８に突き出し端縁２０を押し当てられて倒し込まれる当該保持片２が前記閉じ込み位置ＣＬにおいて納められる構成としてある。また、かかる蓋体４の上壁４３と内壁４２との接し合う縁部４８は、当該縁部４８の中央に向かうに連れて収容部１の内方に膨らみ出す弧状に形成してあり、この縁部４８に前記蓋体４の閉じ込み操作によって突き出し端縁２０を前記隆起部２６側から押し当てさせる保持片２が当該弧状に形成された縁部４８によって円滑に押し込まれるようにしてある。
【００５２】
また、前記本体３における幅広の側板３１および幅狭の側板３２の縁部には外向きのフランジ３８が形成してあると共に、前記仕切り板３５の基部２３ａ側において当該フランジ３８に凹所３８ａが形成されており、この凹所３８ａを利用して前記閉じ込み位置ＣＬにある蓋体４の上壁４３に指を掛けて当該蓋体４を開き出し位置ＯＰに向けて開き出し操作するようにしてある。
【００５３】
【発明の効果】
この発明にかかるカップホルダーによれば、太さと形状を異ならせる複数種類の容器の側部に対し、かかる容器の収容部の内方に向けて横向きに突き出された保持片をそれぞれ十分に押しつけ状態で接触させることができ、これら複数種類の容器をいずれもより適切に起立状態で保持することができる。
【図面の簡単な説明】
【図１】カップホルダーの斜視構成図
【図２】カップホルダーの斜視構成図
【図３】カップホルダーの平面図
【図４】カップホルダーの正面図
【図５】カップホルダーの背面図
【図６】カップホルダーの側面図
【図７】図６と反対の側から視たカップホルダーの側面図
【図８】図３におけるＡ−Ａ線断面図
【図９】図３におけるＢ−Ｂ線断面図
【図１０】閉じ込み位置ＣＬにあるカップホルダーの平面図
【図１１】閉じ込み位置ＣＬにあるカップホルダーの正面図
【図１２】閉じ込み位置ＣＬにあるカップホルダーの側面図
【図１３】図１０におけるＤ−Ｄ線断面図
【図１４】図１０におけるＣ−Ｃ線断面図
【図１５】保持片２の平面図
【図１６】保持片２の底面図
【図１７】保持片２の側面図
【図１８】図１７と異なる向きから視た保持片２の側面図
【図１９】図１５におけるＥ−Ｅ線断面図
【図２０】カップホルダーの使用状態を示す要部平面図（本図（イ））及び要部断面図（本図（ロ））
【図２１】カップホルダーの使用状態を示す要部平面図（本図（イ））及び要部断面図（本図（ロ））
【図２２】カップホルダーの使用状態を示す要部平面図（本図（イ））及び要部断面図（本図（ロ））
【図２３】カップホルダーの使用状態を示す要部平面図（本図（イ））及び要部断面図（本図（ロ））
【図２４】従来例を示す要部平面図（本図（イ））及び要部断面図（本図（ロ））
【図２５】従来例を示す要部平面図（本図（イ））及び要部断面図（本図（ロ））
【図２６】従来例を示す要部平面図（本図（イ））及び要部断面図（本図（ロ））
【図２７】従来例を示す要部平面図（本図（イ））及び要部断面図（本図（ロ））
【符号の説明】
Ｙ  容器
Ｙａ  底部
１  収容部
１０  内壁
２  保持片
２０  突き出し端縁
２１  上面
２２  下面
２６  隆起部
２７  円弧面
【図１】
0004878666.tif 000002
【図２】
0004878666.tif 000003
【図３】
0004878666.tif 000004
【図４】
0004878666.tif 000005
【図５】
0004878666.tif 000006
【図６】
0004878666.tif 000007
【図７】
0004878666.tif 000008
【図８】
0004878666.tif 000009
【図９】
0004878666.tif 000010
【図１０】
0004878666.tif 000011
【図１１】
0004878666.tif 000012
【図１２】
0004878666.tif 000013
【図１３】
0004878666.tif 000014
【図１４】
0004878666.tif 000015
【図１５】
0004878666.tif 000016
【図１６】
0004878666.tif 000017
【図１７】
0004878666.tif 000018
【図１８】
0004878666.tif 000019
【図１９】
0004878666.tif 000020
【図２０】
0004878666.tif 000021
【図２１】
0004878666.tif 000022
【図２２】
0004878666.tif 000023
【図２３】
0004878666.tif 000024
【図２４】
0004878666.tif 000025
【図２５】
0004878666.tif 000026
【図２６】
0004878666.tif 000027
【図２７】
0004878666.tif 000028